(57)【要約】【課題】  導入のために利用者の負担を軽減し、かつ、セキュリティ対策を施した、ヘルスケアシステムを提供する。【解決手段】  ＩＣタグ（歩数計付きＩＣタグ２）が個人の健康管理にかかわる測定情報を取り込んで、人の集まる場所に設置された管理装置（ＩＣタグリーダ３を含むネットワーク接続ＰＣ４から構成される）がその測定情報を受信して記憶し、個人の健康管理のための情報を生成出力する。なお、ＩＣタグが管理装置に無線送信するとき、ＩＣタグに付与されているＩＤを変更しながら電波を発信することでセキュリティを確保する。【選択図】      図１
2006127161.tif 000002
【特許請求の範囲】
【請求項１】
個人の健康管理にかかわる測定情報を取り込み無線送信するＩＣタグと、
人の集まる場所に設置され、前記測定情報を受信して記憶し、前記個人の健康管理のための情報を生成出力する管理装置と、
を具備することを特徴とするヘルスケアシステム。
【請求項２】
前記ＩＣタグは、
前記測定情報に加え、自身に付与された識別情報を変更しながら無線送信することを特徴とする請求項１に記載のヘルスケアシステム。
【請求項３】
前記ＩＣタグは、
当該ＩＣタグとともに携帯可能な測定機器から有線で測定情報を取り込み、かつ、携帯できない測定機器から送信される測定情報を無線により受信することを特徴とする請求項１に記載のヘルスケアシステム。
【請求項４】
前記ＩＣタグは、
前記携帯できない測定機器から送信される測定情報を無線によって受信する際に前記無線の到達距離を限定して個人を特定することを特徴とする請求項３に記載のヘルスケアシステム。
【請求項５】
前記管理装置の近傍に利用者が居ることを検知した場合にのみ前記測定情報を送信することを特徴とする請求項３または４に記載のヘルスケアシステム。
【請求項６】
前記携帯できない測定機器から無線で送信される測定情報に送信先となるＩＣタグの識別情報を付加して送信し、受信するＩＣタグを特定することを特徴とする請求項３〜５のいずれか１項に記載のヘルスケアシステム。
【請求項７】
前記ＩＣタグは、前記測定情報を暗号化することを特徴とする請求項１〜６のいずれか１項に記載のヘルスケアシステム。
【請求項８】
前記ＩＣタグは、内部時計を保持し、前記測定情報を当該測定情報を受信または取り込んだ時刻に対応づけて記憶することを特徴とする請求項３〜７のいずれか１項に記載のヘルスケアシステム。
【請求項９】
個人が管理するＩＣタグと、人の集まる場所に設置され、前記ＩＣタグに記憶された情報を読み取るＩＣタグリーダを含む管理装置とから成るヘルスケアシステムにおける情報収集方法であって、
前記ＩＣタグが個人の健康管理にかかわる測定情報を取り込み無線送信する第１のステップと、
前記管理装置が前記測定情報を受信して記憶し、前記個人の健康管理のための情報を生成出力する第２のステップと、
を有することを特徴とするヘルスケアシステムにおける情報収集方法。
【請求項１０】
前記第１のステップは、
前記ＩＣタグが、当該ＩＣタグとともに携帯可能な測定機器から有線で測定情報を取り込むサブステップと、
携帯できない測定機器から送信される測定情報を無線により受信するサブステップとを含むことを特徴とする請求項９に記載のヘルスケアシステムにおける情報収集方法。
【発明の詳細な説明】
【技術分野】
【０００１】
本発明は、健康管理に係わる様々な個人情報を収集する際に用いて好適な、ヘルスケアシステムおよび同システムにおける情報収集方法に関する。
【背景技術】
【０００２】
健康管理のために個人のデータを収集するヘルスケアシステムが各社から提供されている（例えば、非特許文献１参照）。上記したヘルスケアシステムによれば、利用者は、歩数計、血圧計、体脂肪計と併せて、レシーバー、ヘルスプラネット用ＣＤ-ＲＯＭの一式を購入する必要がある。またヘルスプラネット用ＣＤ-ＲＯＭには専用ソフトウェアが入っており、利用者が別に所有するパソコンにインストールする。またこのパソコンはインターネットに接続され、ヘルスプラネットのホームページに接続されるようになっている。また、歩数計のデータは赤外線通信で、血圧計と体脂肪計の測定デ−タは電波通信によりレシーバーヘ送られる。そして、レシーバーからパソコンまでＵＳＢ（Universal Serial Bus）接続により各測定データが送られ、さらにインターネットを介してヘルスプラネットのホームページヘ送られる（例えば、非特許文献１参照）。
【０００３】
一方、他のヘルスケアシステムとして非特許文献２、非特許文献３が公開されている。
このヘルスケアシステムによれば、歩数計と体組成計(体重や脂肪などを測定する)の測定データをパソコンで管理できる。体組成計の決められた位置に歩数計をセットして、体組成計の測定データは、一旦歩数計に渡される。この歩数計は体組成計の測定データと歩数データを合わせ、そのインタフェースであるＵＳＢ接続を介してパソコンヘ送られる。そして、パソコンでは専用のソフトウェアで個人の測定データを蓄積して表示できる。さらにインターネットに接続して、専用のホームページヘ情報を送って分析やアドバイスを受けることができる。
【非特許文献１】“新しい健康習慣  ヘルスプラネット（Health Planet）”、株式会社タニタ、「online」、「平成１６年１０月２０日検索」、インターネット＜ＵＲＬ：http://www.tanita.co.jp/products/planet/index2-l.html＞
【非特許文献２】“オムロン 体重体組成計「カラダスキャンPCコントロール」・HBF-354IT”、オムロンヘルスケア株式会社、「online」、「平成１６年１０月２０日検索」、インターネット＜ＵＲＬ：http://www.healthcare.omron.co.jp/corp/news2004/0421.html＞
【非特許文献３】“オムロン 体重体組成計「カラダスキャンPCコントロール」・HBF-354IT”、オムロンヘルスケア株式会社、「online」、「平成１６年１０月２０日検索」、インターネット＜ＵＲＬ：http://www.healthcare.omron.co.jp/product/hbf354it_2.html＞
【発明の開示】
【発明が解決しようとする課題】
【０００４】
上記したヘルスケアシステムによれば、個々の利用者が管理用のパソコンを所有し、指定されたホームページヘアクセスするためインターネット接続などの準備が必要である。このため、利用者にとってはパソコンの購入やそのインターネットの接続などを合わせた負担を考えなければならず、このシステム(体重計や歩数計を含むサービス)の購入以上に大きな負担を強いられる。
また、上述の非特許文献１のヘルスケアシステムは、家庭内など限られた利用者を仮定している。このことにより、体重や毎日の行動(歩数)などの個人に関する情報を自己管理するように求めている。仮にこのヘルスケアシステムを複数の利用者が共有して利用する場合を想定すれば無線で送られる個人情報についてセキュリティ対策が配慮されているとは言えない。
さらに、上述の技術ではともにパソコンをインターネットヘ接続して個人データを送信することについては、特段のセキュリティ対策を提示していない。
【０００５】
本発明は上記諸々の事情に鑑みてなされたものであり、導入のために利用者の負担を軽減し、かつ、セキュリティ対策を施した、ヘルスケアシステムおよび同システムにおける情報収集方法を提供することを目的とする。
【課題を解決するための手段】
【０００６】
上記した課題を解決するために本発明のヘルスケアシステムは、個人の健康管理にかかわる測定情報を取り込み無線送信するＩＣタグと、人の集まる場所に設置され、前記測定情報を受信して記憶し、前記個人の健康管理のための情報を生成出力する管理装置と、を具備することを特徴とする。
【０００７】
また、本発明において、前記ＩＣタグは、前記測定情報に加え、自身に付与された識別情報を変更しながら無線送信することを特徴とする。
【０００８】
また、本発明において、前記ＩＣタグは、当該ＩＣタグとともに携帯可能な測定機器から測定情報を有線で取り込み、かつ、携帯できない測定機器から送信される測定情報を無線により受信することを特徴とする。
【０００９】
また、本発明において、前記ＩＣタグは、前記携帯できない測定機器から送信される測定情報を無線によって受信する際に前記無線の到達距離を限定して個人を特定することを特徴とする。
【００１０】
また、本発明において、前記管理装置の近傍に利用者が居ることを検知した場合にのみ前記測定情報を送信することを特徴とする。
【００１１】
また、本発明において、前記携帯できない測定機器から無線で送信される測定情報に送信先となるＩＣタグの識別情報を付加して送信し、受信するＩＣタグを特定することを特徴とする。
【００１２】
また、本発明において、ＩＣタグは、前記測定情報を暗号化することを特徴とする。
【００１３】
また、本発明において、ＩＣタグは、内部時計を保持し、前記測定情報を当該測定情報を受信または取り込んだ時刻に対応づけて記憶することを特徴とする。
【００１４】
また、本発明は、個人が管理するＩＣタグと、人の集まる場所に設置され、前記ＩＣタグに記憶された情報を読み取るＩＣタグリーダを含む管理装置とから成るヘルスケアシステムにおける情報収集方法であって、前記ＩＣタグが個人の健康管理にかかわる測定情報を取り込み無線送信する第１のステップと、前記管理装置が前記測定情報を受信して記憶し、前記個人の健康管理のための情報を生成出力する第２のステップと、を有することを特徴とする。
【００１５】
また、本発明において、前記第１のステップは、前記ＩＣタグが、当該ＩＣタグとともに携帯可能な測定機器から測定情報を有線で取り込むサブステップと、携帯できない測定機器から送信される測定情報を無線により受信するサブステップとを含むことを特徴とする。
【発明の効果】
【００１６】
本発明によれば、ＩＣタグが個人の健康管理にかかわる測定情報を取り込み無線送信し、人の集まる場所に設置された管理装置がその測定情報を受信して記憶し、個人の健康管理のための情報を生成出力することで、各家庭には電波の受信機やパソコンか不要となり、従って導入や維持に関するコストを抑えることができ、簡便に測定情報を日々記録し、例えばその推移や傾向を見ることができる。
また、本発明によれば、ＩＣタグに付与されている識別情報を変更しながら無線送信することや、ＩＣタグが取り込んだ測定情報を暗号化することで、第三者に対して個人情報をトラッキングされないように防止でき、セキュリティを高めることができる。
【００１７】
更に、本発明によれば、ＩＣタグが、例えば、歩数計等自身とともに携帯可能な測定機器から測定情報を取り込み、かつ、例えば、体重計等携帯できない測定機器から送信される測定情報を無線により受信することで、また、その際に無線の到達距離を限定し、個人の測定情報が特定のＩＣタグヘ送信され記憶されるように配慮することで、ＩＣタグは個人に係わる複数種類の測定情報を記憶でき、かつ、その際に無線の到達距離に応じて特定のＩＣタグに送信されることで、他との隔離をはかることができる。
更に、管理装置の近傍に利用者が居ることを検知した場合にのみ測定情報を送信することで、ＩＣタグの消費電力を大幅に低減させ、電池寿命を延命化がはかれる。また、携帯できない測定機器から無線で送信される測定情報に送信先となるＩＣタグの識別情報を付加して送信することで、受信するＩＣタグを特定することができ、このことにより、複数の測定者で、体重計等携帯できない測定機器を共有することができる。
【発明を実施するための最良の形態】
【００１８】
図１は、本発明実施形態に係わるヘルスケアシステムのシステム構成の一例を示す図である。
ここでは、一般の利用者が、体重計１と歩数計付きＩＣタグ２を利用して自身の健康管理を行うこととする。また、歩数計付きＩＣタグ２は利用者によって携帯され、利用者が勤務するオフィスや、普段よく利用するコンビニ店などの場所に設置されたＩＣタグリーダ３と無線により接続され、また、ＩＣタグリーダ３は、ネットワーク接続用のＰＣ４に有線で接続されている。なお、体重計１には測定したデータを送信する送信機能が備わっている。ここでは、ＬＦ（低周波）信号を送信する磁気コイル（ＬＦ信号送信部１１）が内蔵されている。そしてこの体重計の測定データは、一旦、利用者が携帯する歩数計付きＩＣタグ２ヘ送られ記憶される。このために、ＩＣタグ２は、無線送信用のＲＦ信号送信部２２の他に、ＬＦ信号受信用の磁気コイル（ＬＦ信号受信部２１）を内蔵している。
【００１９】
なお、上記した磁気コイルの相互結合によりデータを送受信する本発明実施形態では、特定の歩数計付きＩＣタグ２ヘデータが記憶されるように、体重計１と歩数計付きＩＣタグ２の距離に制限を設ける。例えば、所定の受信強度の電波を歩数計付きＩＣタグ２が受信した場合にのみ、その電波に保持される情報を読みとる。これにより他人に個人(の体重)情報を読み取られることを防ぐことができる。
さらに、歩数計付きＩＣタグ２は、記憶した体重データと、内蔵する歩数計２３がカウントした歩数の測定データとを併せた個々人の健康管理のデータを、ＲＦ信号送信部２２を介して電波により送信する。
また、歩数計付きＩＣタグ２は、内部時計２５と暗号化処理部２６を保持している。この内部時計２５は体重計１などから電波により情報を受信した際の時間を検出するために備えられたものである。また暗号化処理部２６は、ＬＦ信号受信部２１で情報を受信した際に当該受信した情報を暗号化するために備えられたものである。
【００２０】
一方、たくさんの人が出入りする公共の施設や場所には、電波を受信するＩＣタグリーダ３と、受信したデータを扱いネットワーク５ヘ接続するＰＣ４が設置されている。公共の施設や場所とは、サラリーマンやＯＬであれば、勤務先のオフィス、生徒や学生であれば学校や大学、主婦や高齢者など一般の方にはコンビニ店など、普段利用する場所や施設をいう。それぞれ個人の健康管理のための測定データはこれら設置された機器を介して収集される。
上記したように、本発明実施形態によれば、多数の人が同じＩＣタグリーダ３とＰＣ４を共有することになるため、個人が負担する導入コストは少なく済む。すなわち、個人が主に費用負担して購入しなければならない機器は、歩数計付きＩＣタグ２と、家族で共用する１台の体重計１でよい。
【００２１】
また、少ない費用負担で済むことは、多数の人がＩＣタグリーダ３やＰＣ４そして、ネットワーク接続を共用しているためであるが、個々の利用者の体重や歩数といった個人情報を扱うためセキュリティ対策も考慮しなければならない。
ここでは、そのために暗号化処理部２６が体重計１のＬＦ信号送信部１１が発信された信号に含まれる情報を暗号化し、また歩数計付きＩＣタグ２から電波で送信するＩＤを変更することとした。即ち、利用者の情報が電波により送信される時に、ＩＤが逐次変更されるため、個々の利用者毎の情報を特定されることを困難とし、また体重計１から受信した情報を暗号化するため、有効なトラッキング防止のための手段としている。
【００２２】
送信されるＩＤを変更するためには、次のように幾つかの方法が考えられる。まず、１個の歩数計付きＩＣタグ２に対して複数のＩＤを持たせる方法がある。これは歩数計付きＩＣタグ２内蔵のメモリに複数のＩＤを持たせる。この複数のＩＤを送信の時に順に変えて使ってもよいし、ランダムに選択して使用してもよい。いずれにしても、送信されるＩＤが変更されるこの方法では、ＩＣタグ側が内蔵のメモリから順番に、あるいはランダムに1個のＩＤを選択して使用するという簡単な機能のみで済む。そしてリーダー側で使用されたＩＤのリストからタグを特定することになる。
また、歩数計付きＩＣタグ２があるキーとなる数値から計算でＩＤを作り使用する方法も考えられる。例えば簡単な計算としては、日付時刻でキーの値を除算してその余りの値をＩＤとする。歩数計付きＩＣタグ２はキーのみ保持しているだけで、送信する度にＩＤが異なることになる。このときＩＣタグリーダ３は、同じ計算を実行してＩＤの一致を確認することによりタグの特定が可能になる。
【００２３】
図２は本発明の他の実施形態に係わるヘルスケアシステムの一例を示す図である。ここでは、体重を計測するヘルスケアメータ１０、歩数をカウントするヘルスケアサポータ２０、測定データを受信するヘルスケアリーダ３０、測定データの送信を促すヘルスケアゲート４０から構成される。
上記したＬＦ送信機能付き体重計であるヘルスケアメータ１０は、体重計に加え、体重の測定データをＬＦ信号で送信する機能がある。このＬＦ信号は、送信側(ヘルスケアメータ１０)と受信側(ヘルスケアサポータ２０)それぞれのコイルによる磁束相互結合を用いることにより生成される。そしてこのヘルスケアメータ１０は、個人の自宅に1台、或いは各家庭で家族と共有して用いることができる。
【００２４】
歩数計付きＩＣタグであるヘルスケアサポータ２０には、歩数計としての機能のほかに、測定データをＲＦ信号により送るＩＣタグ本体としての機能と、体重のデータやＲＦ送信の起動制御のＬＦ信号を受信するコイルと、内部時計と、データを暗号化して記憶するための暗号化処理部とが備わっている。また、受信した体重データとヘルスケアサポータ１０内蔵の歩数計がカウントした歩数データを記憶する機能も持っている。このヘルスケアサポータ１０は各個人が携帯して用いることとする。
ヘルスケアゲート４０は、書店やビデオ・ＣＤ・ＤＶＤなどの販売店の出入り口に設置されている防犯センサのような形状をしている。このヘルスケアケゲート４０は、ヘルスケアサポータ２０に記憶された測定データをＲＦ信号により送信するように起動命令を発する機能を持つ。
【００２５】
さらに、親機になるヘルスケアリーダ３０は、ヘルスケアサポータ２０から送信された測定データを受信する。受信したデータはＰＣ４ヘ送られ、インターネット接続等により図示せぬサーバ等により収集される。
ここでは上記したヘルスケアゲート４０と合わせ、ヘルスケアリーダ３０およびＰＣ４は、人が集まるオフィスやコンビニ店に設置される。
【００２６】
図２に示す実施形態の動作は図３に動作シーケンス図として示されている。以下、図３を参照しながら図２に示す本発明実施形態の動作について説明する。
まず、ヘルスケアメータ１０で測定した体重データは、ＬＦ信号を用いてヘルスケアサポータ２０ヘ送られる（Ｓ３１）。また、利用者はヘルスケアサポータ２０を携帯しており、この利用者が歩いた歩数はヘルスケアサポータ２０内蔵の歩数計によりカウントされており、上記した体重データと併せて記憶されている。このとき体重データと当該体重データを保持する信号の受信時刻とが対応づけられて、また内蔵する歩数計がカウントした歩数と当該カウントした時刻とが対応づけられてメモリなどに記憶される。このように、ヘルスケアサポータ２０は、体重計等携帯できない測定機器から送信される測定情報を無線により受信することで、また、その際に無線の到達距離を限定し、個人の測定情報が特定のヘルスケアサポータ２０ヘ送信され記憶されるように配慮することで、個人に係わる複数種類の測定情報を記憶でき、かつ、その際に無線の到達距離に応じて送信されることで、他との隔離をはかることができる。なおヘルスケアサポータ２０の暗号化処理部は、体重データと歩数の情報とそれらに対応する時刻の情報からなる測定情報を暗号化して内蔵メモリへ記憶する。この時暗号化処理部は、ヘルスケアサポータ２０に固有の暗号化キーで暗号化処理を行う。なお、複数のヘルスケアサポータ２０のそれぞれにおける暗号化処理のルーチンは共通である。
【００２７】
一方、利用者がオフィスや店舗に入る時、ヘルスケアサポータ２０を携帯しながらヘルスケアゲート４０を通過する。この時、ヘルスケアゲート４０からＬＦ信号により、記憶されたデータを送信するように起動制御命令（起動信号）が発せられている（Ｓ３２）ヘルスケアサポータ２０では、この制御命令を受信すると内蔵メモリに記憶されている暗号化された測定情報をＲＦ信号により送信する（Ｓ３３）。送信された測定情報（暗号化されている）はヘルスケアリーダ３０によって受信され、接続されているＰＣ４に収集される。また、ＰＣ４からネットワークヘ送られる。ＰＣ４においては、ヘルスケアサポータ２０に固有の復号化キーにより暗号化された測定情報を復号し、体重データ＋体重計測時刻＋歩数データを読みとり記憶する。
【００２８】
なお、上記した本発明実施形態によれば、ヘルスケアサポータ２０に記憶された測定データをＲＦ信号により送信するように、ヘルスケアゲート４０から起動信号が発せられるものとして説明した。そしてこの起動信号にはＬＦ信号が用いられていると説明した。このように、ヘルスケアサポータ２０は、起動信号を受信したときにのみ測定データを送信する(その時以外は送信を停止した状態でいる)ことにより、ヘルスケサポータ２０の消費電力を大幅に低減させることができ、また、電池寿命の延命化がはかれる。
また、ＬＦ信号を発するヘルスケアゲート４０からヘルスケアサポータ２０ヘの起動信号を近傍に利用者が居ることを検知した場合にのみ発するように人感(焦電)センサ４００を設けることにより、ヘルスケアケゲート４０の消費電力の低減をもはかることができる。すなわち、人感センサ４００がＯＦＦの場合、ヘルスケアゲート４０はＬＦ信号の発信を停止し、人感センサ４００がＯＮの時のみＬＦ信号を発するようにする。これで常にＬＦ信号を発したままの状態を抑制して効果的な利用を図ることができる。
また、ヘルスケアゲート４０とヘルスケアリーダ３０とが近傍に設置されるので、ヘルスケアゲート４０からのリクエスト信号を受信することがすなわちヘルスケアリーダ３０の近傍にヘルスケアサポータ２０が存在することとなる。
また、ヘルスケアゲート４０と人感センサ４００を組み合わせることでリクエスト信号を継続して送信することを抑制することができる。
【００２９】
なお、ヘルスケアサポータ２０に設定される無線送信に関するパラメータ、例えば送信間隔、送信回数、ＩＤ変更の有無などの設定や変更は、ヘルスケアゲート４０もしくは外部接続される制御装置によりＬＦ信号を用いて実行される。
【００３０】
図４は、本発明の更に他の実施形態に係わるヘルスケアシステムの構成例を示す図である。
ここでも図１に示す実施形態同様、一般の利用者が体重計１と歩数計付ＩＣダグ２を利用する。また、利用者が勤務するオフィスや普段よく利用するコンビニ等の場所にはＩＣタグリーダ３と、ネットワーク接続されるＰＣ４が設置されている。但し、体重計１には、測定者番号を指定するためのボタン１４が備わっている。ボタン１４は、区別したい利用者の数だけ備えておき、どのボタン１４を押したかにより測定者番号を指定する場合と、ボタン１４を一つだけ備えておき、ボタン１４を押した回数により測定者番号を指定する場合の二つが考えられる。
【００３１】
体重計１には、測定者番号と、送信先ＩＣタグ指定ＩＤとを関連付ける表を備えている表は、図５にテーブルメモリ１２として示すように、区別したい測定者の数だけのエントリを持つ。各エントリは、測定者番号と送信先ＩＣタグ指定ＩＤとの対で構成される。
体重計１には、上記した各実施形態同様測定したデータを送信する送信機能が備わっている。ここでは、ＲＦ信号を用い送信するためＲＦ送信部１３が備わっている。体重計１によって測定された体重データは、一旦利用者が携帯する歩数計付ＩＣタグ２ヘ送られ記憶される。このために、歩数計付きＩＣタグ２はＲＦ信号受信部２３を備えている。
【００３２】
歩数計付きＩＣタグ２には、体重計１から送信されるＲＦ信号を選択的に受信するために、送信先ＩＣタグ指定ＩＤが内蔵のメモリ２４に書き込まれている。一つの体重計と組み合わせて使用される歩数計付きＩＣタグ２には、それぞれ異なる送信先ＩＣタグ指定ＩＤが書き込まれている。その場合、体重計１のテーブルメモリ１２には、組み合わせて使用される歩数計付きＩＣタグ２に書き込まれている送信先ＩＣタグ指定ＩＤが設定されている。
【００３３】
図６に、歩数計付きＩＣタグ２の動作がフローチャートで示されている。まず、体重計１は、歩数計付きＩＣタグ２に体重データを送信する際に、ＲＦ信号に、測定した体重データに加えて送信先ＩＣタグ指定ＩＤを含めて送信する。送信先ＩＣタグ指定ＩＤは、体重測定時に指定されている測定者番号をもとに、体重計に備わっている表（テーブルメモリ１２）を検索することで得られる。
図６において、歩数計付きＩＣタグ２は、ＲＦ信号受信部２３を介して送信される上記ＲＦ信号を受信するが（Ｓ６１）、ここで、ＲＦ信号に含まれる送信先ＩＣタグ指定Ｄと自メモリに書き込まれている送信先ＩＣタグ指定ＩＤを比較し（Ｓ６２）、異なっている場合は（Ｓ６２“ＮＯ”）、受信したＲＦ信号を破棄し（Ｓ６４）、等しい場合は（Ｓ６２“Ｙｅｓ”）、自ＩＣタグに向けた信号であるとしてそのＲＦ信号を受け入れる。受け入れたＲＦ信号から体重データを取り出し、内部時計２５で刻まれる時刻に対応づけて内蔵のメモリ２４に蓄積する（Ｓ６３）。この蓄積の際に、暗号化処理部２６は、体重データと当該体重データを蓄積した時刻と、内蔵する歩数計がカウントした歩数と当該カウントした時刻の情報を暗号化する。
【００３４】
そして、ＲＦ信号送信部２２が個々人のヘルスケアデータをＩＣタグリーダ３へＲＦ信号を用いて送信する（Ｓ６５）。このために、歩数計付きＩＣタグ２は、ＲＦ信号送信部２２を備えている。
なお、ＩＣタグリーダ３は、オフィスやコンビニ店に設置されており、歩数計付きＩＣタグ２から送信されるＲＦ信号を受信し、ＰＣ４、ネットワーク５経由で図示せぬサーバへ送信し、当該サーバにて暗号化された測定情報を復号化して、個々人の測定データが収集管理され、必要に応じてＰＣ４経由で検索することにより、個々人のデータを入手でき、更に、体重推移や傾向、運動量等の加工したデータを入手することも可能である。
【００３５】
以上説明のように本発明は、ＩＣタグ（ここでは歩数計付きＩＣタグ２）が個人の健康管理にかかわる測定情報を取り込んでＩＣタグリーダ３に無線送信し、人の集まる場所に設置された管理装置（ここでは、上記ＩＣタグリーダ３を含むネットワーク接続ＰＣ４から構成される）がその測定情報を受信して記憶し、個人の健康管理のための情報を生成出力するものであり、このことにより、各家庭では、電波の受信機やパソコンか不要となり、従って導入や維持に関するコストを抑えることができ、簡便に測定情報を日々記録し、あるいはその推移や傾向を見ることができる。
但し、上記したようにＩＣタグリーダ３とＰＣを共用し、電波により個人に関するデ−タを送信しているために、トラッキングされる危険が考えられるが、ＩＣタグ２に付与されているＩＤを変更しながらＩＣタグから電波を発信することでセキュリティを確保している。
【００３６】
また、本発明によれば、体重計１など普通に携帯できない健康管理用の機器での測定データを、一旦、ＩＣタグ（ここでは歩数計など携帯できる健康管理のための機器を内蔵）へ送信するが、その体重計を家族などでは共有している。
加えて、携帯する歩数計から測定データをＩＣタグの電波で送信するための起動信号にＬＦ信号を用いている。このことによりＩＣタグの消費電力を大幅に低減させ、電池寿命を延ばすことを可能にしている。さらに、ヘルスケアゲート４０近傍に設置される人感センサ４００が“ＯＦＦ”の場合はＬＦ信号の発信を停止し、このセンサ４００が“ＯＮ”の時のみＬＦ信号を発するようにしている。このことにより、常にＬＦ信号を発することで生じる電磁波等の弊害を防止している。
【図面の簡単な説明】
【００３７】
【図１】本発明実施形態に係わるヘルスケアシステムのシステム構成の一例を示す図である。
【図２】本発明の他の実施形態に係わるヘルスケアシステムの一例を示す図である。
【図３】図２に示す実施形態の動作シーケンスを示す図である。
【図４】本発明の更に他の実施形態に係わるヘルスケアシステムの一例を示す図である。
【図５】図４に示す実施形態において使用されるテーブルメモリのデータ構造の一例を示す図である。
【図６】図４に示す実施形態において使用される歩数計付きＩＣタグの動作を示すフローチャートである。
【符号の説明】
【００３８】
１…体重計、２…歩数計付きＩＣタグ、３…ＩＣタグリーダ、４…ＰＣ、５…ネットワーク、１０…ヘルスケアメータ、２０…ヘルスケアサポータ、３０…ヘルスケアリーダ、４０…ヘルスケアゲート、４００…人感センサ
【図１】
2006127161.tif 000003
【図２】
2006127161.tif 000004
【図３】
2006127161.tif 000005
【図４】
2006127161.tif 000006
【図５】
2006127161.tif 000007
【図６】
2006127161.tif 000008